(57)【要約】【課題】小型端末に実装されるポインティングデバイスに関して使用者が最小限の調整作業により最適な操作性をもつポインティングデバイスのセットアップ方法を提供する。【解決手段】本発明のポインティングデバイスのセットアップ方法は、ポインティングデバイスと表示部を有する携帯端末におけるポインティングデバイスのセットアップ方法において、携帯端末が搭載されているコンピュータにポインティングデバイスを調整する諸手順を実行させるためのプログラムを有し、そのプログラムが表示部上のユーザアイコンをポインティングデバイスにより移動させてターゲットアイコンに追従させる第１の手順と、第１の手順により得られるユーザアイコンの移動情報からポインティングデバイスのパラメータを取得する第２の手順を有することを特徴とする。【選択図】　　　図１
2004013705.tif 000002
【特許請求の範囲】
【請求項１】
ポインティングデバイスと表示部を有する携帯端末におけるポインティングデバイスのセットアップ方法において、
前記携帯端末が搭載されているコンピュータにポインティングデバイスを調整する諸手順を実行させるためのプログラムを有し、前記プログラムは前記表示部にターゲットアイコンを表示し、かつ、表示部上のユーザアイコンをポインティングデバイスにより移動させて前記ターゲットアイコンに追従させる旨を前記表示部に表示する第１の手順と、
前記第１の手順の後にポインティングデバイスの移動により得られるユーザアイコンの移動情報からポインティングデバイスのパラメータを取得する第２の手順を有することを特徴とするポインティングデバイスのセットアップ方法。
【請求項２】
請求項１に記載のポインティングデバイスのセットアップ方法において、
前記第１の手順および第２の手順は、第１の手順におけるターゲットアイコンの表示位置が変更されて複数回繰り返されることを特徴とするポインティングデバイスのセットアップ方法。
【請求項３】
ポインティングデバイスと表示部を有する携帯端末におけるポインティングデバイスをセットアップするためのプログラムであって、
前記プログラムは前記表示部にターゲットアイコンを表示し、かつ、表示部上のユーザアイコンをポインティングデバイスにより移動させて前記ターゲットアイコンに追従させる旨を前記表示部に表示する第１の手順と、
前記第１の手順の後にポインティングデバイスの移動により得られるユーザアイコンの移動情報からポインティングデバイスのパラメータを取得する第２の手順を有することを特徴とするプログラム。
【請求項４】
請求項３に記載のプログラムにおいて、
前記第１の手順および第２の手順は、第１の手順におけるターゲットアイコンの表示位置が変更されて複数回繰り返させることを特徴とするプログラム。
【請求項５】
ポインティングデバイスと表示部を有する携帯端末において、
前記携帯端末が搭載されているコンピュータにポインティングデバイスを調整する諸手順を実行させるための制御手段を有し、該制御手段は前記表示部にターゲットアイコンを表示し、かつ、表示部上のユーザアイコンをポインティングデバイスにより移動させて前記ターゲットアイコンに追従させる旨を前記表示部に表示させた後にポインティングデバイスの移動により得られるユーザアイコンの移動情報からポインティングデバイスのパラメータを取得することを特徴とする携帯端末。
【請求項６】
請求項５に記載携帯端末において、
ポインティングデバイスの移動により得られるユーザアイコンの移動情報からポインティングデバイスのパラメータを取得することは、ターゲットアイコンの表示位置が変更されて複数回繰り返されることを特徴とする携帯端末。
【発明の詳細な説明】
【０００１】
【発明の属する技術分野】
コンピュータ端末のポインティングデバイスに関し、特に携帯端末のポインティングデバイスのパラメータ設定方法と該方法を記録した記録媒体および携帯端末に関する。
【０００２】
【従来の技術】
従来パーソナルコンピュータ等のポインティングデバイスは、比較的大型の機器に実装されており、ポインティングデバイスの移動量の絶対値が十分大きい量を確保できる構成になっている。また、ソフトウェアの処理能力及びメモリ量なども十分大きなものをもっていた。従って、このような場合にはポインティングデバイスの移動量に係る最適値のばらつきは、移動量の絶対値と比較した場合十分小さい変動値であり、ユーザ単位の細かな使用方法の違いもある程度は吸収できるものであった。また、細かな使用方法の違いを調整する場合においても、メモリ量及び、処理能力が十分大きいため、複雑な最適化をすることにより、ユーザが調整を行うことなく最適なポインティングデバイスのパラメータの調整を行っていた。使用者が調整する場合においても使用者自身が知識の豊富な場合が多く、細かなパラメータを調整することも可能となる場合が多かった。
【０００３】
【発明が解決しようとする課題】
しかしながら、携帯電話等の携帯端末においては、使用者はソフトの知識が豊富な人だけでなく、いろいろな使用者層が使用するので、ポインティングデバイスの移動量に係る最適値の設定には、複雑な制御方法をとることはできない。また、小型端末であることから、ポインティングデバイスの移動量も、十分とれないため、組立公差、使用者の使用方法の影響を非常に受けやすくなっているという問題がある。
【０００４】
本発明の主な目的は形態端末に実装されるポインティングデバイスに関して使用者が最小限の調整作業により最適な操作性をもつポインティングデバイスのセットアップ方法とその携帯端末を提供することにある。
【０００５】
【課題を解決するための手段】
本発明のポインティングデバイスのセットアップ方法は、ポインティングデバイスと表示部を有する携帯端末におけるポインティングデバイスのセットアップ方法において、携帯端末が搭載されているコンピュータにポインティングデバイスを調整する諸手順を実行させるためのプログラムを有し、そのプログラムは表示部にターゲットアイコンを表示し、かつ、表示部上のユーザアイコンをポインティングデバイスにより移動させてターゲットアイコンに追従させる旨を表示部に表示する第１の手順と、第１の手順の後にポインティングデバイスの移動により得られるユーザアイコンの移動情報からポインティングデバイスのパラメータを取得する第２の手順を有することを特徴とする。
【０００６】
また、セットアップ方法の第１の手順および第２の手順は、第１の手順におけるターゲットアイコンの表示位置が変更されて複数回繰り返されることを特徴とする。
【０００７】
本発明のプログラムは、ポインティングデバイスと表示部を有する携帯端末におけるポインティングデバイスをセットアップするためのプログラムであって、プログラムは表示部にターゲットアイコンを表示し、かつ、表示部上のユーザアイコンをポインティングデバイスにより移動させてターゲットアイコンに追従させる旨を表示部に表示する第１の手順と、第１の手順の後にポインティングデバイスの移動により得られるユーザアイコンの移動情報からポインティングデバイスのパラメータを取得する第２の手順を有することを特徴とする。
【０００８】
また、プログラムの第１の手順および第２の手順は、第１の手順におけるターゲットアイコンの表示位置が変更されて複数回繰り返させることを特徴とする。
【０００９】
本発明の携帯端末は、ポインティングデバイスと表示部を有する携帯端末において、携帯端末が搭載されているコンピュータにポインティングデバイスを調整する諸手順を実行させるための制御手段を有し、該制御手段は表示部にターゲットアイコンを表示し、かつ、表示部上のユーザアイコンをポインティングデバイスにより移動させてターゲットアイコンに追従させる旨を表示部に表示させた後にポインティングデバイスの移動により得られるユーザアイコンの移動情報からポインティングデバイスのパラメータを取得することを特徴とする。
【００１０】
また、ポインティングデバイスの移動により得られるユーザアイコンの移動情報からポインティングデバイスのパラメータを取得することは、ターゲットアイコンの表示位置が変更されて複数回繰り返されることを特徴とする。
【００１１】
本発明の特徴は、ポインティングデバイスをもつ携帯電話機等の小型携帯端末における、ポインティングデバイスのパラメータの最適化方法として、表示部を用いた調整手順をもつソフトウェアを設けたことを特徴としている。
【００１２】
このパラメータの最適化方法は、図２に示すようにユーザにポインターを追従させる動作を行わせることを特徴としている。
【００１３】
このような動作をさせることによりポインティングデバイスのユーザに細かい設定作業等の負担を掛けることなく素早くパラメータの最適化の実現を可能としている。
【００１４】
【発明の実施の形態】
本発明の実施の形態について図面を参照して詳細に説明する。図１は本発明の一実施例の構成を示すブロック図、図２は本発明の一実施例のパラメータ調整画面を示す図である。
【００１５】
図１によれば、本発明における携帯端末１０１は、ポインティングデバイス１０２と、コンピュータ（以降ＣＰＵと称する）１０５と、ＣＰＵ１０５に各種パラメータを調整する手順を実行するパラメータ調整プログラム１０７を記録しＣＰＵ読み取り可能な記録媒体１０３と、設定されたパラメータなどを記憶するメモリ部１０８と、パラメータ設定操作を誘導する表示部１０６と、ポインティングデバイス１０２からの移動情報をＣＰＵ１０５へ入力する制御部１０４を有する。
【００１６】
本携帯端末１０１にてポインティングデバイスのパラメータの設定作業を行う際に、ＣＰＵ１０５は、表示部１０６に対して使用者にポインティングデバイス１０２を使用してユーザアイコン２０２を操作してターゲットアイコン２０３に向けて移動させる動作を促す表示を行う。その後、図２に示すようにパラメータ調整画面を表示する。
【００１７】
本発明実施例におけるポインティングデバイスのパラメータとしては、ポインティングデバイスの移動量に応じた３段階（低速／通常／高速）の移動速度を持たせており、その場合のＸＹ方向毎速度切り替えのしきい値情報８種類と、最大移動量４種類と、ＸＹ方向毎における平行移動時の直交方向のばらつき情報４種類を持っている。
【００１８】
すなわち、原点から４方向に関してそれぞれパラメータを持ち、しきい値情報８種類に関しては＋Ｘ方向と−Ｘ方向と＋Ｙ方向と−Ｙ方向のそれぞれに２種類のしきい値を示し、同様に最大値に関しては＋Ｘ方向と−Ｘ方向と＋Ｙ方向と−Ｙ方向の４種類を示している。
【００１９】
ＣＰＵ１０５は記録媒体１０３に設けられたパラメータ調整プログラム１０７からの出力を基に、ターゲットアイコン２０３を移動させその後、ターゲットアイコン２０３に対するポインティングデバイス１０２の移動によるユーザアイコン２０２の移動を待つ。
【００２０】
パラメータ調整プログラム１０７は、ターゲットアイコン２０３をユーザアイコン２０２から離れた場所、近い場所、上下左右の位置関係等を変化させた位置を指定する。
【００２１】
制御部１０４はポインティングデバイス１０２の移動量の情報を、ＣＰＵ１０５に対して出力する。
【００２２】
パラメータ調整プログラム１０７はＣＰＵ１０５から使用者がユーザアイコン２０２をターゲットアイコン２０１へ向けて移動させる際のポインティングデバイスの移動量をサンプリングしたデータを受け取り、パラメータ値を決定し、メモリ１０８に格納する。
【００２３】
この動作を一定時間行うことにより、パラメータ調整プログラム１０７は、筐体の実装条件、経年変化及び使用者が固有に持つ操作方法から決定される、高速／低速移動時のポインティングデバイスの移動量（しきい値）、上下左右に移動する際の座標のずれ情報、及び、上下左右の最大移動量のポインティングデバイスに係るパラメータ情報を取得する。
【００２４】
次に本実施例のパラメータ調整の動作について図３のフローチャートを用いて説明する。
【００２５】
ポインティングデバイスパラメータ調整モードに入ると（ステップ３０１）使用者に対してポインタアイコンをターゲットアイコンに追従して動作させるように促すメッセージを表示する（ステップ３０２）。ＣＰＵ１０５はターゲットアイコン２０３及びユーザアイコン２０２を表示する（図２）（ステップ３０３）。パラメータ調整プログラム１０７よりターゲットアイコン２０３の次移動位置情報を取得する（ステップ３０４）。
【００２６】
図２では右４５度方向の離れた地点にターゲットアイコン２０３を配置している。ＣＰＵ１０５はポインティングデバイス１０２が操作されるのを待ち、ポインティングデバイス１０２が操作された場合は、移動量を制御部１０４よりＣＰＵ１０５へ通知する（ステップ３０５）。
【００２７】
ＣＰＵ１０５はユーザアイコン２０２を移動量に応じて予め決められた移動速度（本実施例ではこれまでのパラメータ値に従った値）にて移動量に応じた移動位置へユーザアイコンを移動させる（ステップ３０６）。ユーザアイコンがターゲットアイコンに近づくまでユーザアイコン動作を行い（ステップ３０７）、その後移動量のサンプリングしたデータ値をパラメータ調整プログラム１０７に渡す。
【００２８】
パラメータ調整プログラム１０７はこの移動量情報より、対応するパラメータを取得しメモリ部へ格納する（ステップ３０８）。図２の場合では、＋Ｘ方向、＋Ｙ方向の３段階の移動速度に応じたしきい値パラメータ及び、＋Ｘ方向、＋Ｙ方向の水平移動時の直交方向それぞれＹ方向、Ｘ方向のぶれ値パラメータ及び＋Ｘ方向、＋Ｙ方向の移動量の最大値を取得している。
【００２９】
全てのパラメータが取得できているかどうか判断し、パラメータが取得できていない項目がある場合は、該当パラメータが取得できるように再度ターゲットアイコンの移動を行う（ステップ３０９）。全てのパラメータの取得が完了した時点で、パラメータ調整モードを終了する（ステップ３１０）。
【００３０】
なお、上記実施例では、ユーザアイコンがターゲットアイコン付近まで移動完了後パラメータ調整プログラム１０７はパラメータの取得動作を行っているが、取得動作は随時行ってもよい。
【００３１】
また、ステップ３０７の条件をユーザによる決定ボタンの押下としてもよい。
【００３２】
【発明の効果】
本発明によれば、ターゲットアイコンを使用者に追従させ、パラメータを調整することにより、ポインティングデバイスの移動量の絶対値が少なく、筐体ばらつき、使用者ばらつきの影響を受けやすい小型携帯端末においてユーザが細かいパラメータ調整を行うことなく、最適なパラメータを設定することができる。また、経年変化等の影響により出荷時のパラメータへの影響があった場合においても本発明におけるパラメータ調整により、再度最適状態に戻す効果がある。
【００３３】
また、学習機能等複雑なソフト制御を行う必要がないため、ソフト規模を大きくすることなく安定したポインティングデバイス動作を行わせることが可能となる効果がある。
【００３４】
更には、本実施例では、グラフィカルに設定することによりソフト設定に関する高度な知識を必要とせず、使用者個別に最適なポインティングデバイス動作を提供できる効果がある。
【図面の簡単な説明】
【図１】本発明における携帯端末の構成を示すブロック図である。
【図２】本発明の一実施例のパラメータ調整画面を示す図である。
【図３】本発明の一実施例のパラメータ調整処理手順を示すフローチャートである。
【符号の説明】
１０１　　携帯端末
１０２　　ポインティングデバイス
１０３　　記録媒体
１０４　　制御部
１０５　　ＣＰＵ
１０６　　表示部
１０７　　パラメータ調整プログラム
１０８　　メモリ部
２０１　　表示画面
２０２　　ユーザアイコン
２０３　　ターゲットアイコン
【図１】
2004013705.tif 000003
【図２】
2004013705.tif 000004
【図３】
2004013705.tif 000005